(57)【特許請求の範囲】
【請求項１】
ディスク駆動手段が設けられた下部ベースと、前記下部ベースに昇降自在に支持された可動ベースと、前記可動ベースを昇降させる昇降切換え手段と、ディスクを前記ディスク駆動手段へ移送する移送手段と、前記移送手段の手前で前記可動ベースの下に形成されるディスクの挿入・排出口を開閉する誤挿入防止部材と、が設けられたディスク装置において、
前記誤挿入防止部材は、前記挿入・排出口側に閉鎖部が形成されてこの閉鎖部よりも装置奥側の部分が前記可動ベースと共に昇降する軸により回動自在に支持されており、
前記可動ベースが下部ベース側へ下降しているときに、前記誤挿入防止部材の前記軸と前記閉鎖部との中間部分が前記下部ベース側で規制されることで、前記閉鎖部が前記挿入・排出口を閉鎖する方向へ誤挿入防止部材が回動させられ、
前記可動ベースが前記下部ベースから上昇するときに、前記中間部分が前記下部ベース側に設けられたストッパに規制されることで、前記軸の上昇に伴って誤挿入防止部材が回動し、前記挿入・排出口からディスクが挿入・排出可能となる位置へ前記閉鎖部が移動することを特徴とするディスク装置。
【請求項２】
前記可動ベースには、前記移送手段を構成する移送ローラと、この移送ローラを支持するローラ支持部材が取付けられており、このローラ支持部材は、可動ベースが上昇するときに前記移送ローラをディスク移送可能な位置とし、可動ベースが下降するときに前記移送ローラをディスクから離すように回動するものであり、前記誤挿入防止部材は、前記ローラ支持部材に回動自在に支持されている請求項１記載のディスク装置。
【請求項３】
前記ローラ支持部材にはガイド面が形成されて、このガイド面と前記可動ベースとの間に前記挿入・排出口が開口し、前記閉鎖部は前記ガイド面の上に臨むことで前記挿入・排出口が閉鎖される請求項１または２記載のディスク装置。
【請求項４】
誤挿入防止部材の軸支持部中心と前記ストッパとの係止部までの距離をＬ１、前記係止部から前記閉鎖部までの距離をＬ２としたときに、Ｌ１≦Ｌ２である請求項１ないし３のいずれかに記載のディスク装置。
【請求項５】
前記可動ベースには、ディスクをディスク駆動手段のターンテーブルに圧接するクランパが設けられている請求項１ないし４のいずれかに記載のディスク装置。
【発明の詳細な説明】
【０００１】
【発明の属する技術分野】
本発明は、ＣＤ、ＤＶＤ、光磁気ディスクなどの各種ディスクを回転駆動するディスク装置に係り、特にディスクを挿入・排出する挿入・排出口を閉鎖する誤挿入防止部材が設けられたディスク装置に関する。
【０００２】
【従来の技術】
ＣＤ、ＤＶＤなどのディスクの再生または記録を行うディスク装置には、挿入・排出口から挿入されたディスクを移送する移送ローラが設けられ、この移送ローラによりディスクが送られてディスクの中心穴がターンテーブルを有するディスク駆動手段に位置決めされる。
【０００３】
前記移送ローラによるディスクの移送が完了すると、ディスクの中心穴がターンテーブルに装着されてクランパによりディスクがターンテーブルに押し付けられる。このとき前記移送ローラがディスクから離れる位置へ退避し、移送ローラからディスクへの移送力の伝達が断たれる。そして、ターンテーブルが駆動されてディスクが回転駆動され、ディスクからのデータの再生またはデータの記録が行われる。
【０００４】
【発明が解決しようとする課題】
しかし、前記ディスク装置では、ディスクがターンテーブルに設置されているときに、前記挿入・排出口が開放されていると、誤って新たなディスクが前記挿入・排出口から挿入されて、駆動中のディスクと新たに挿入されたディスクとが当たってディスクを傷つける虞がある。
【０００５】
そこで、ディスクがターンテーブルに装着されているときに、前記挿入・排出口を閉鎖する誤挿入防止部材を設けることが好ましい。この誤挿入防止部材を動作させる機構として、ディスクのクランプ手段を有して昇降する可動ベースに誤挿入防止部材を回動自在に支持させ、可動部材の下降動作に連動して誤挿入防止部材を閉鎖方向へ回動させることが考えられる。しかし、前記可動ベースの昇降距離に対して閉鎖部材の開閉動作範囲を大きくしなくては、前記挿入・排出口を完全に閉鎖できない場合がある。
【０００６】
特に薄型の機器で可動ベースの下降距離が短いものでは、前記誤挿入防止部材を確実に動作させるのが困難である。
【０００７】
本発明は上記従来の課題を解決するものであり、可動ベースの下降距離に対して誤挿入防止部材の可動範囲を大きくできるようにして、誤挿入防止部材によって、挿入・排出部材を確実に閉鎖できるようにしたディスク装置を提供することを目的としている。
【０００８】
【課題を解決するための手段】
本発明は、ディスク駆動手段が設けられた下部ベースと、前記下部ベースに昇降自在に支持された可動ベースと、前記可動ベースを昇降させる昇降切換え手段と、ディスクを前記ディスク駆動手段へ移送する移送手段と、前記移送手段の手前で前記可動ベースの下に形成されるディスクの挿入・排出口を開閉する誤挿入防止部材と、が設けられたディスク装置において、
前記誤挿入防止部材は、前記挿入・排出口側に閉鎖部が形成されてこの閉鎖部よりも装置奥側の部分が前記可動ベースと共に昇降する軸により回動自在に支持されており、
前記可動ベースが下部ベース側へ下降しているときに、前記誤挿入防止部材の前記軸と前記閉鎖部との中間部分が前記下部ベース側で規制されることで、前記閉鎖部が前記挿入・排出口を閉鎖する方向へ誤挿入防止部材が回動させられ、
前記可動ベースが前記下部ベースから上昇するときに、前記中間部分が前記下部ベース側に設けられたストッパに規制されることで、前記軸の上昇に伴って誤挿入防止部材が回動し、前記挿入・排出口からディスクが挿入・排出可能となる位置へ前記閉鎖部が移動することを特徴とするものである。
【０００９】
前記軸は可動ベースに支持されていてもよいが、好ましくは、前記可動ベースには、前記移送手段を構成する移送ローラと、この移送ローラを支持するローラ支持部材が取付けられており、このローラ支持部材は、可動ベースが上昇するときに前記移送ローラをディスク移送可能な位置とし、可動ベースが下降するときに前記移送ローラをディスクから離すように回動するものであり、前記誤挿入防止部材は、前記ローラ支持部材に回動自在に支持されているものである。
【００１０】
この場合、前記ローラ支持部材にはガイド面が形成されて、このガイド面と前記可動ベースとの間に前記挿入・排出口が開口し、前記閉鎖部は前記ガイド面の上に臨むことで前記挿入・排出口が閉鎖されるものとすることが可能である。
【００１１】
さらに、誤挿入防止部材の軸支持部中心と前記ストッパとの係止部までの距離をＬ１、前記係止部から前記閉鎖部までの距離をＬ２としたときに、Ｌ１≦Ｌ２であることが好ましい。
【００１２】
また、例えば、前記可動ベースには、ディスクをディスク駆動手段のターンテーブルに圧接するクランパが設けられているものである。
【００１３】
本発明では、可動ベースが昇降する際に、前記誤挿入防止部材が、軸と閉鎖部との中間部分を支点として回動するため、可動ベースの昇降距離に対して、誤挿入防止部材の回動範囲を大きくでき、挿入・排出口を確実に閉鎖でき、また挿入・排出口を大きく開口させて、ディスクを挿入しやすくできる。
【００１４】
【発明の実施の形態】
図１は本発明の一実施の形態として薄型のディスク装置の分解斜視図、図２はその挿入・排出口を拡大して示す分解斜視図、図３は小径ディスクが挿入され位置決めされる直前の状態を示す平面図、図４は小径ディスクが位置決めされた状態を示す部分平面図、図５はディスク挿入待機状態での下部ベース側の機構を示す平面図、図６はディスク装着完了時の下部ベース側の機構を示す平面図、図７（Ａ）（Ｂ）はディスククランプ動作を説明する図１のＶＩＩ矢視の側面図、図８（Ａ）（Ｂ）は、挿入・排出口に設けられた誤挿入防止部材の動作を示す部分側面図である。
【００１５】
図１、図２および図７に示すように、このディスク装置は駆動ベースとなる下部ベース１と、クランプベースとなる可動ベース２とが上下に重なり合って組み立てられ、前記下部ベース１と可動ベース２との間に、Ｙ１へ向けてディスクが挿入される。図５と図６に示すように、前記下部ベース１と可動ベース２とが組み合わされた機構ユニットがシャーシ３内に設置される。下部ベース１とシャーシ３との間には、弾性支持手段４が設けられている。この弾性支持機構４では、前記シャーシ３の底面上にオイルまたはエアーが収納されたゴム袋のダンパー４ａが固定され、前記下部ベース１の下面に固定された支持軸４ｂが前記ダンパー４ａ内に弾性支持されている。
【００１６】
このディスク装置は車載用などに適しており、ディスクの記録または再生を行っているときには、下部ベース１と可動ベース２とが組み合わされた機構ユニットが前記シャーシ３上で弾性支持状態になる。ただし、前記機構ユニット内にディスクが挿入されるときおよびディスクが排出されるときには、後に説明するロック手段１１０により、シャーシ３上で下部ベース１がロック状態となる。
【００１７】
前記下部ベース１、可動ベース２およびシャーシ３が組み合わされたディスク装置はＸ方向の幅寸法とＹ方向の奥行き寸法が、いわゆる１ＤＩＮサイズ内に収納可能であり、Ｚ方向の高さ寸法は、１ＤＩＮサイズの半分以下である。例えば自動車のダッシュボードやインストルメントパネルなどに埋設されて設置される場合、１ＤＩＮのスペース内に前記ディスク装置と、他の装置例えばＭＤ装置、ラジオチューナ、表示部材の収納装置などが重ねて設置可能になっている。
【００１８】
このディスク装置には、例えば直径が８ｃｍの小径ディスクＤＳと、例えば直径が１２ｃｍの大径ディスの双方を挿入可能である。前記各ディスクは、ＣＤ、ＤＶＤ、ＣＤ−ＲＯＭ、ＣＤ−ＲＡＭ、光磁気ディスクなどである。
【００１９】
図７（Ａ）に示すように、前記下部ベース１の中央部にはディスク駆動手段が向けられている。このディスク駆動手段では、前記下部ベース１の下面にスピンドルモータが固定されており、その回転軸が下部ベース１の上面に突出し、この回転軸にターンテーブル７が固定されている。また前記下部ベース１には、前記ターンテーブル７に設置されたディスクからのデータを再生するまたは記録する光ヘッド（図示せず）が設けられている。
【００２０】
図１に示すように、可動ベース２の上にはディスククランプ手段１０が設けられている。このディスククランプ手段１０では、可動ベース２の開口部２ａ内にクランパ１４と、このクランパ１４を支持するクランパ支持体１１が設けられている。また、前記クランパ支持体１１を上方へ付勢し且つクランパ１４を下方へ付勢する板ばね材料で形成された支え体１５を有している。また可動ベース２の上面にはＸ１−Ｘ２方向へ移動するクランプ駆動部材１３が設けられており、このクランプ駆動部材１３には押圧部１３ｂと１３ｃ，１３ｃが形成されている。クランプ駆動部材１３がＸ２方向へ移動する際に、前記押圧部１３ｂ，１３ｃ，１３ｃにより前記クランパ支持体１１が下方へ押され、これによりクランパ１４が支え体１５の弾性力を受けてディスクを押圧し、ターンテーブル７上にディスクがクランプされる。
【００２１】
図１と図２および図７に示すように、前記可動ベース２のＹ２側前部で且つＸ方向の両側部には、下方向へ直角に折り曲げられた小側板２ｇ，２ｇが設けられ、それぞれの小側板２ｇ，２ｇに互いに同軸上に位置する支持穴２ｈ，２ｈが形成されている。前記可動ベース２の前部下側にはローラ支持部材２５が設けられている。このローラ支持部材２５は金属板で形成され、Ｘ方向の両側部には側片２５ａ，２５ａが上方へ直角に折り曲げられている。
【００２２】
前記側片２５ａ，２５ａの外面には支持軸２６，２６が突出しており、前記小側板２ｇ，２ｇに形成された支持穴２ｈ，２ｈに回動自在に支持されている。前記ローラ支持部材２５と下部ベース１との間には引張りコイルスプリング２７が掛けられており、前記ローラ支持部材２５は図７（Ａ）に示すように常に時計方向へ付勢されている。前記ローラ支持部材２５の前記側片２５ａと側片２５ａとの間の底面はガイド面２５ｂとなっており、このガイド面２５ｂと前記可動ベース２との間にディスクの挿入・排出口２８が形成されている。またローラ支持部材２５のＹ２側前端の下面にはＸ方向の両側部に一対の突起２９，２９（図２では一方のみ図示）が設けられている。この突起２９は前記ローラ支持部材２５の下面にピンが下向きで且つ垂直に固定されることで形成されている。
【００２３】
前記ローラ支持部材２５のＸ方向の両側部では、Ｙ１方向の後方へ延びる支持片２５ｃ，２５ｃが互いに平行に設けられている。移送ローラ３１を支持するローラ軸３２の両端は、前記支持片２５ｃ，２５ｃに回動自在に支持されている。ローラ軸３２の一方の端部には、前記支持片２５ｃの外側において歯車３４が固定されており、図５に示す下部ベース１に設けられたモータ８１の動力が前記歯車３４に伝達されて、前記ローラ軸３２および移送ローラ３１が正逆両方向へ回転駆動される。また図８に示すように、前記可動ベース２の下面には、前記移送ローラ３１に対向する対向パッド３３が固定されている。この対向パッド３３は、合成樹脂などの低摩擦材料で形成されている。
【００２４】
図７（Ａ）に示すように、可動ベース２が下部ベース１から上方へ離れている状態では、前記引張りコイルスプリング２７の引張り力により前記ローラ支持部材２５が時計方向へ回動している。このとき移送ローラ３１には前記対向パッド３３方向へ圧接する付勢力が作用する。また、ローラ支持部材２５のＹ２側端部が下方向へ回動し、前記ガイド面２５ｂはＹ２方向へ向けて下向きに傾斜し、前記挿入・排出口２８が大きく開かれる。この状態で前記挿入・排出口２８からディスクが挿入されると、このディスクは前記移送ローラ３１と対向パッド３３との間で挟まれ、移送ローラ３１の回転力でＹ１へ移送される。また移送ローラ３１が逆方向へ回転すると、ディスクは挿入・排出口２８からＹ２方向へ排出される。
【００２５】
図７（Ｂ）に示すように、可動ベース２が下部ベース１と接近する方向へ下降すると、前記突起２９が下部ベース１上に設けられた回動部材１０１のカム溝１０１ｃの底面に当たるために、可動ベース２の下降動作に追従してローラ支持部材２５が反時計方向へ回動させられる。その結果、移送ローラ３１が対向パッド３３から離れる方向へ下降し且つディスクＤから離れる。またＹ２方向前端では、ローラ支持部材２５のガイド面２５ｂと可動ベース２との間の隙間である前記挿入・排出口２８が狭くなる。
【００２６】
図２と図８に示すように、前記ローラ支持部材２５のＸ１−Ｘ２側の両側部の２箇所には、誤挿入防止部材５が設けられている。前記ローラ支持部材２５のガイド面２５ｂには開口部が形成され、この開口部から一対の支持片２５ｄ，２５ｄが下向きに折り曲げられ、この支持片２５ｄ，２５ｄに支持穴２５ｅ，２５ｅが形成されている、前記ガイド面２５ｂの下側に合成樹脂製の前記誤挿入防止部材５が設置されており、この誤挿入防止部材５に形成された支持穴５ａに支持軸６が挿入され、この支持軸６は前記支持穴２５ｅ，２５ｅに挿通されている。よって、ローラ支持部材２５の下面で誤挿入防止部材５が回動自在に支持されている。
【００２７】
誤挿入防止部材５は合成樹脂製であり、支持板部５ｂのＹ２側先部に上方に直角に延びる閉鎖壁５ｃが一体に形成されている。また前記支持板部５ｂの下面には、Ｌ字形状に一体形成された係止部５ｄが設けられている。
【００２８】
図８に示すように、前記下部ベース１の前部には、上方へ折り曲がる折曲片が一体に形成されており、この折曲片には、前記下部ベース１の上面に間隙１ｄを開けてストッパ１ｅが形成されている。前記誤挿入防止部材５の係止部５ｄの先部は前記間隙１ｄ内に挿入されている。
【００２９】
このディスク装置では、前記移送ローラ３１によって、小径ディスクＤＳと大径ディスクのいずれか一方が搬送されて、下部ベース１と可動ベース２との間に移送されていく。ただし、下部ベース１上にはターンテーブル７が１個だけ設けられ、このターンテーブル７で前記２種類の径のディスクの双方を駆動可能となっている。よって、可動ベース２には、前記大径ディスクと小径ディスクＤＳの双方の中心部を前記ターンテーブル７上に位置決めするためのディスク位置決め手段４０が設けられている。
【００３０】
図１および図３に示すように、可動ベース２の上面での装置奥側（Ｙ１側）では、一対の位置決めアーム４１と４３がそれぞれ支持軸４２と４４により水平方向へ回動自在に支持されている。位置決めアーム４１には部分歯車４１ａが形成され、位置決めアーム４３には部分歯車４３ａが形成され、両部分歯車４１ａと４３ａが互いに噛み合っている。この部分歯車どうしの噛み合いにより、両位置決めアーム４１と４３は同時に且つ逆方向へ回動する。
【００３１】
前記位置決めアーム４１のアーム先端には、下方に延びる位置決め突起４７が設けられ、位置決めアーム４３のアーム先端にも、下方に延びる位置決め突起４８が設けられている。可動ベース２には前記支持軸４２と４４を中心とする円弧軌跡に沿う円弧スリット２ｉ，２ｉが形成されており、前記位置決め突起４７と４８は、前記円弧スリット２ｉ，２ｉから可動ベース２の下向へ延びている。
【００３２】
一方の位置決めアーム４１と可動ベース２上のピン４５との間には反転ばね４６が掛けられている。図１および図３の状態では、各位置決め突起４７，４８がＹ２方向へ移動して安定するように、前記反転ばね４６から位置決めアーム４１に付勢力が与えられている。しかし、大径ディスクが移送されると、大径ディスクにより前記位置決め突起４７と４８がＹ１方向へ押されて各位置決めアーム４１と４３が回動し、前記反転ばね４６の付勢力の方向が反転し、各位置決め突起４７と４８がＹ１方向へ移動して安定する。
【００３３】
図１および図３に示すように、可動ベース２の上面のＸ２側には、種別検知部材５１が軸５２により回動自在に支持されている。この種別検知部材５１と可動ベース２との間には引張りスプリング５３が掛けられており、この引張りスプリング５３の引張り力により、種別検知部材５１は時計方向へ付勢されている。
【００３４】
前記種別検知部材５１のＹ２側先端部には、下向きに延びる検知突起５４が設けられている。可動ベース２の前部には、前記支持軸５２を中心とする円弧軌跡に沿う円弧スリット２ｊが形成されており、前記検知突起５４は前記円弧スリット２ｊを経て可動ベース２の下方へ突出している。
【００３５】
可動ベース２の上面の装置奥側（Ｙ１側）には位置決めロック部材５５が設けられている。この位置決めロック部材５５にはガイドピン５６，５６が固定され、このガイドピン５６，５６は、可動ベース２にＸ方向に向けて形成されたガイドスリット２ｋ，２ｋ内に挿入されている。よって位置決めロック部材５５はＸ方向へ直線的に摺動自在であり、また前記種別検知部材５１と連結ピン５７によって連結されている。
【００３６】
前記位置決めロック部材５５には、前記位置決めアーム４３に固定された位置決め突起４８が入り込む溝が形成されている。この溝は、Ｘ方向に延びる拘束部５５ａを有している。
【００３７】
図１、図３および図４に示すように、可動ベース２の下面で且つディスク挿入方向奥側（Ｙ１側）にはディスク装填検知手段６０が設けられている。このディスク装填検知手段６０には検知部材６１が設けられている。この検知部材６１はアーム状であり、先端には検知突起６１ａが一体に形成されている。図３に示すようにディスクの挿入を待機している状態では、前記検知突起６１ａが前記一対の位置決め突起４７と４８の間に位置し、前記移送ローラ３１の移送力で小径ディスクＤＳが送り込まれてきたときに、前記小径ディスクＤＳの挿入方向の縁部が前記検知突起６１ａに当たるようになっている。
【００３８】
前記検知部材６１の基端部には連結ピン６１ｂが一体に形成されている。また前記検知突起６１ａと前記連結ピン６１ｂとの中間にはカム穴６１ｃが形成されている。前記一方の位置決めアーム４１に設けられた前記位置決め突起４７は前記カム穴６１ｃ内に摺動自在に挿入されている。また、前記連結ピン６１ｂとカム穴６１ｃとの間には変動ピン６１ｄが一体に形成されている。前記可動ベース２には、小さな円弧状の移動穴２ｍと２ｎが連続して形成されており、前記変動ピン６１ｄは、可動ベース２の下側から前記移動穴２ｍと２ｎ内に挿入されている。
【００３９】
また、前記可動ベース２の上面には始動部材６２が支持軸６３により回動自在に支持されている。前記始動部材６２の一方の端部には連結溝６２ａが形成され、前記検知部材６１の連結ピン６１ｂが前記連結溝６２ａ内に挿入されている。前記始動部材６２と可動ベース２との間には引張りスプリング６４が掛けられており、この引張りスプリング６４により始動部材６２は反時計方向へ付勢されている。よって、前記検知部材６１には、前記引張りスプリング６４の付勢力が間接的に与えられ、検知部材６１は時計方向へ付勢されている。
【００４０】
図３に示すディスクの挿入待機状態では、前記位置決め突起４７がＹ２方向へ移動して反転ばね４６で安定させられているが、このとき前記位置決め突起４７は、検知部材６１のカム穴６１ｃのＸ１側の端部に移動している。このとき前記引張りスプリング６４の付勢力を受けている検知部材６１は、前記位置決め突起４７を支点として時計方向へ回動するように付勢されている。可動ベース２に形成された移動穴２ｍは図３の位置にある位置決め突起４７を中心とする円弧状であり、変動ピン６１ｄは移動穴２ｍのＸ１側の端部に位置している。
【００４１】
図４に示すように、小径ディスクＤＳがＹ１方向へ搬送されて、ディスクＤＳが前記位置決め突起４７と４８に当たって位置決めされるときに、ディスクＤＳが検知突起６１ａをＹ１方向へ押し、図４に示すように、変動ピン６１ｄが移動穴２ｍ内を移動する範囲で、前記検知部材６１が位置決め突起４７を支点として反時計方向（ＣＣＷ）へ回動させられる。その結果、始動部材６２は支持軸６３を中心として時計方向へ（ＣＷ）方向へ回動させられる。
【００４２】
大径ディスクが搬送されてくると、位置決め突起４７と４８がディスクに押されてＹ１方向へ移動し、位置決めアーム４１と４３はそれぞれ支持軸４２と４４を中心として互いに逆方向へ回動する。前記位置決め突起４７が検知部材６１のカム穴６１ｃ内を摺動することで検知部材６１が反時計方向へ回動させられる。そして始動部材６２が支持軸６３を中心として時計方向（ＣＷ）へ回動させられる。
【００４３】
このように、小径ディスクＤＳが搬送されて位置決めが完了したとき、および大径ディスクが搬送されて位置決めが完了したときのいずれにおいても前記始動部材６２が時計方向へ回動させられる。
【００４４】
図１に示すように、前記始動部材６２の端部は、可動ベース２のＸ１側の側部に形成された切欠き２ｐ内を経て可動ベース２の下側へ延びている。そして前記始動部材６２の先端には下方へ延びる始動ピン６５が固定されている。この始動ピン６５は下部ベース１の下面まで延びている。前記始動部材６２と、前記下部ベース１の下面に設けられた機構とで始動伝達手段７０が形成されている。
【００４５】
図５および図６は、下部ベース１側において前記始動伝達手段７０を構成している機構を示している。なお前記各機構は下部ベース１の下面に配置されているものであるが、各部材をいずれも実線で示している。
【００４６】
図５に示すように、下部ベース１の下面では、第１の伝達部材７１と第２の伝達部材７２が共通の支持軸７３に回動自在に支持されている。第１の伝達部材７１には前記支持軸７３を中心とした円弧状の連結穴７１ａが形成され、第２の伝達部材７２には前記連結穴７１ａ内に挿入される連結片７２ａが折り曲げ形成されている。第１の伝達部材７１にはばね掛け片７１ｂが、第２の伝達部材７２にはばね掛け片７２ｂが形成され、両ばね掛け片７１ｂと７２ｂとの間に連結ばね７４が掛けられている。この連結ばね７４は引張りコイルスプリングであり、その付勢力により第１の伝達部材７１に対して第２の伝達部材７２が時計方向へ引かれており、前記連結片７２ａが前記連結穴７１ａの図示左側の縁部に当たることにより両伝達部材７１と７２は一体に動作できるようになっている。
【００４７】
第１の伝達部材７１には連結溝７１ｃが形成されており、前記始動部材６２から下方へ延びる前記始動ピン６５は前記連結溝７１ｃに挿入されている。
【００４８】
下部ベース１の下面には第３の伝達部材７６が支持軸７７により回動自在に支持されている。前記第３の伝達部材７６は３つの腕を有する回動アームであり、１つの腕の端部に設けられた連結ピン７８は、前記第２の伝達部材７２の連結溝７２ｃに挿入されて連結されている。他の１つの腕の先端には、図６に示すラック９４を押圧する始動押圧部７６ａが形成されている。他の腕の先端には、規制突起７９が設けられている。この規制突起７９は前記第３の伝達部材７６にピンを固定することにより形成されている。
【００４９】
図５に示すように、下部ベース１の下面には駆動手段８０が設けられている。この駆動手段８０は、動力源であるモータ８１と、このモータ８１の出力軸に設けられたウォーム歯車８２と、このウォーム歯車８２の動力を伝達する減速歯車列８３とを有している。そして下部ベース１の下面には大径の第１の駆動歯車８４と小径の第２の駆動歯車８５が一体に設けられており、この一体化された両歯車が支持軸８６に回転自在に支持されている。前記減速歯車列８３からの動力は前記第１の駆動歯車８４に伝達され、第１の駆動歯車８４と第２の駆動歯車８５が一緒に回転駆動される。
【００５０】
ディスクの挿入待機状態からディスクが挿入されたことが検知されると、モータ８１が始動して、前記第１の駆動歯車８４と第２の駆動歯車８５が反時計方向（ＣＣＷ）へ一定の回転数で回転させられ、これはディスクがターンテーブル７上に設置されるまで継続する。ディスクを排出するときには、前記と逆に第１の駆動歯車８４と第２の駆動歯車８５が時計方向（ＣＷ）へ一定の回転数で回転させられる。
【００５１】
図示省略するが、前記第１の駆動歯車８４の回転動力は伝達歯車群を介して、前記移送ローラ３１のローラ軸３２に固定された歯車３４（図２参照）に伝達される。よって、前記第１の駆動歯車８４が反時計方向へ回転し続ける間、移送ローラ３１は反時計方向すなわちディスクを装置内へ送り込む方向へ回転し続ける。逆に第１の駆動歯車８４が時計方向へ回転し続ける間、前記移送ローラ３１は時計方向すなわちディスクに排出力を与える方向へ回転し続ける。
【００５２】
下部ベース１の下面には、前記始動伝達手段７０からの始動伝達力を受けたときのタイミングによって、前記駆動手段８０で始動させられる切換え手段９０が設けられている。
【００５３】
前記切換え手段９０には切換え伝達部材９１が設けられている。この切換え伝達部材９１には複数箇所にガイド軸９２が設けられ、下部ベース１にＸ方向へ直線的に形成された長穴１ｃ内に前記ガイド軸９２が挿入されて、前記切換え伝達部材９１がＸ方向へ直線的に移動自在に設けられている。前記切換え伝達部材９１上には一対のピン９３，９３が固定されている。前記切換え伝達部材９１上にはラック９４が設けられ、このラック９４に形成されたＸ方向へ延びる差動長穴９４ａ，９４ａが前記ピン９３，９３に摺動自在に挿通されている。よって、前記ラック９４は前記切換え伝達部材９１上において前記差動長穴９４ａの長さ範囲内でＸ方向へ移動可能である。前記ラック９４のＸ２側の端面と、切換え伝達部材９１上の突出片９１ａとの間には押圧ばね９５が介装されており、この押圧ばね９５により、前記ラック９４は切換え伝達部材９１上でＸ１方向へ押されている。
【００５４】
前記切換え伝達部材９１には、Ｙ１方向に延びる拘束アーム９１ｂが一体に設けられており、その縁部は前記第３の伝達部材７６に設けられた規制突起７９に対向している。そして前記拘束アーム９１ｂのＸ１側先端のＹ１側縁部が拘束部９１ｃとなっている。
【００５５】
前記切換え伝達部材９１と前記下部ベース１との間には反転ばね９７が掛けられている。図５では前記反転ばね９７によって前記切換え伝達部材９１に対してＸ１方向への付勢力が与えられて切換え伝達部材９１は図５に示す位置で安定している。前記第３の伝達部材７６の始動押圧部７６ａによって、ラック９４がＸ２方向へ押されると、ラック９４と前記第２の駆動歯車８５が噛み合って、ラック９４および切換え伝達部材９１がＸ２方向へ駆動される。この移動が完了すると、図６に示すように反転ばね９７の付勢方向が反転し、切換え伝達部材９１にＸ２方向の付勢力が与えられて切換え伝達部材９１が図６の位置で安定する。
【００５６】
図５と図６に示すように、下部ベース１の前部上面には回動部材１０１が支持軸１０２により回動自在に支持されている。この回動部材１０１には前記支持軸１０２を中心とするピッチ円を有する部分歯車１０１ａが形成されている。下部ベース１の上面の前記回動部材１０１に隣接する位置には反転歯車１０３が支持軸１０４により回転自在に支持されており、この反転歯車１０３は前記部分歯車１０１ａに噛み合っている。
【００５７】
また、前記回動部材１０１には、カム溝１０１ｃが形成されており、前述のように、前記ローラ支持部材２５から下方に延びる前記突起２９がこのカム溝１０１ｃ内に位置している。カム溝１０１ｃの内周側の縁部は、前記突起２９を押圧するカム部１０１ｄであり、このカム部１０１ｄは、支持軸１０２から距離の短い小径部１０１ｄ１と、前記距離の長い大径部（押圧部）１０１ｄ２を有している。
【００５８】
前記切換え伝達部材９１のＹ２側の側部には、切換えラック９８が設けられている。この切換えラック９８は下部ベース１の上面に臨んでおり、前記反転歯車１０３と噛み合っている。図５に示すように、前記切換え伝達部材９１がＸ１側へ移動していると、その移動力が切換えラック９８から前記反転歯車１０３を介して前記回動部材１０１に伝達され、回動部材１０１が時計方向へ回動させられる。逆に、図６に示すように前記切換え伝達部材９１がＸ２方向へ移動させられると、回動部材１０１は反時計方向へ回動する。
【００５９】
図１と図５および図６に示すように、下部ベース１と可動ベース２のＸ１側の側部には昇降切換え部材１０６が設けられている。この昇降切換え部材１０６にはＹ方向へ延びる案内長穴１０６ａ，１０６ａが形成されている。前記下部ベース１の側板１ａの外面には一対のガイド軸１０７，１０７が設けられている。前記案内長穴１０６ａ，１０６ａが前記ガイド軸１０７，１０７に挿通されることで、前記昇降切換え部材１０６は、前記下部ベース１の側板１ａの外側でＹ１−Ｙ２方向へ直線的に往復移動自在とされている。
【００６０】
図５に示すように、前記昇降切換え部材１０６のＹ２側の端部にはＸ２に延びる駆動長穴１０６ｂが形成されており、前記回動部材１０１に設けられた駆動突起１０５が前記駆動長穴１０６ｂ内に摺動自在に挿入されている。よって、回動部材１０１が図５の状態から反時計方向へ回動して図６の状態に至る間に、前記駆動突起１０５によって、前記昇降切換え部材１０６がＹ２方向へ移動させられる。
【００６１】
図１および図７に示すように、前記可動ベース２の側板２ｆの外面には案内軸１０８，１０８が固定されている。前記昇降切換え部材１０６には、Ｙ１方向に向けて下降する傾斜角度を有する昇降案内穴１０６ｃ，１０６ｃが形成されており、前記案内軸１０８，１０８は前記昇降案内穴１０６ｃ，１０６ｃ内に摺動自在に挿入されている。前記回動部材１０１によって前記昇降切換え部材１０６がＹ２方向へ駆動されると、図７（Ａ）から図７（Ｂ）へ至る経過で示されるように、前記昇降案内穴１０６ｃ，１０６ｃによって可動ベース２が下部ベース１に接近する方向へ駆動される。
【００６２】
下部ベース１と可動ベース２とが組み合わされた機構ユニットと、前記シャーシ３との間にはロック手段１１０が設けられている。前記回動部材１０１にはロック突起１０１ｂが一体に形成されており、図５に示すディスクの挿入待機状態では、前記ロック突起１０１ｂが前記シャーシ３の隆起部３ａに当接し、機構ユニットのＹ２方向への移動が拘束される。
【００６３】
また図１および図５に示すように、前記昇降切換え部材１０６の外面には一対のロック突起１０６ｄ，１０６ｄが一体に形成されている。図５の状態では、このロック突起１０６ｄ，１０６ｄがシャーシ３の側板から内側へ突出した突出片３ｂの下に入り込み、機構ユニットがシャーシ３上で上方へ動かないように拘束される。
【００６４】
そして、図６に示すようにターンテーブル７上でのディスクの装着が完了したときに、前記ロック突起１０１ｂとロック突起１０６ｄがそれぞれシャーシ３の隆起部３ａと突出片３ｂから離れ、機構ユニットはシャーシ３内で前記弾性支持手段４により弾性支持された状態となる。
【００６５】
なお、機構ユニットのＸ２側の端部にも同様に、回動部材１０１および昇降切換え部材１０６が設けられ、前記切換え伝達部材９１により駆動される。すなわち前記可動ベース２はＸ１側とＸ２側の両側部で前記昇降切換え部材１０６により昇降駆動され、またロック手段１１０では、前記両側部で機構ユニットがシャーシ３に対して拘束される。また他の場所にはディスクの挿入待機状態において、機構ユニットがＹ１方向へ動かないように拘束するロック突起が設けられている。
【００６６】
次に前記ディスク装置の一連の動作を順に説明する。
ディスクの挿入を待機している状態では、図７（Ａ）に示すように、可動ベース２は下部ベース１から上昇している。よって、ローラ支持部材２５は引張りスプリング２７の付勢力により時計方向へ回動させられており、ローラ支持部材２５のガイド面２５ｂと可動ベース２との間で形成される前記挿入・排出口２８は大きく開いている。また移送ローラ３１は引張りスプリング２７の付勢力により対向パッド３３に弾圧されている。
【００６７】
また前記ローラ支持部材２５から下方へ延びる突起２９の下に位置する回動部材１０１は、図５に示すように時計方向へ回動しているため、回動部材１０１に形成されたカム部１０１ｄの小径部１０１ｄ１が前記突起２９に対向しており、カム部１０１ｄから前記突起２９に対してＹ２方向への押圧力が作用していない。
【００６８】
また図８（Ａ）に示すように、前記ローラ支持部材２５に支持されている誤挿入防止部材５の下方に延びる係止部５ｄは、下部ベース１の上方に位置しているストッパ１ｅに引っかかって、係止部５ｄが下部ベース１側で規制されている。よって、誤挿入防止部材５は支持軸６を支点として時計方向へ大きく回動しており、誤挿入防止部材５の閉鎖壁５ｃが下方へ下がり、前記挿入・排出口が大きく開いている。
【００６９】
前記挿入・排出口２８からディスクが挿入されると、下部ベース１と可動ベース２との間に設けられている光学検知手段により検知され、制御回路から図５に示す駆動手段８０のモータ８１に始動指令が出される。このときモータ８１の回転力はウォーム歯車８２から減速歯車列８３を経て第１の駆動歯車８４に伝達され、第１の駆動歯車８４と第２の駆動歯車８５が反時計方向（ＣＣＷ）へ連続的に駆動される。
【００７０】
前記第１の駆動歯車８４の回転動力は図示しない動力伝達歯車列を介して図２に示す歯車３４に伝達され、ローラ軸３２が反時計方向へ駆動される。ディスクが移送ローラ３１と対向パッド３３との間に送り込まれると、前記移送ローラ３１の回転力でディスクが装置奥方（Ｙ１方向）へ移送されていく。
【００７１】
小径ディスクＤＳの場合、移送される途中で、ディスク縁部が検知突起５４から離れるため、種別検知部材５１は引張りスプリング５３により時計方向へ回動した状態である。よって小径ディスクＤＳが装置内部へ移動させられたときには、種別検知部材５１により位置決めロック部材５５がＸ２方向へ移動させられた状態であり、位置決めロック部材５５に形成されている拘束部５５ａによって一方の位置決め突起４８が拘束されている。よって位置決め突起４７と４８は可動ベース２の円弧スリット２ｉ，２ｉ内において挿入・排出口側（Ｙ２側）の位置で動かないように規制されている。
【００７２】
小径ディスクＤＳがＹ１方向へ移送されると、その前方の縁部が前記位置決め突起４７と４８に当たり、両位置決め突起４７と４８によりディスクＤＳがＸ方向の中央に至るようにセンタリングされる。このとき小径ディスクＤＳの中心穴がターンテーブル７の中心部にほぼ一致する。
【００７３】
小径ディスクＤＳが位置決め突起４７と４８とでセンタリングされたとき、図４に示すように、小径ディスクＤＳのＸ方向の中心部の先端がディスク装填検知手段６０を構成する検知部材６１の検知突起６１ａに当たり、この検知突起６１ａがＹ１方向へ押される。よって、カム穴６１ｃの端部に位置している位置決め突起４７を支点として検知部材６１が反時計方向（ＣＣＷ）へ回動させられ、検知部材６１と連結されている始動部材６２が時計方向（ＣＷ）へ回動させられる。
【００７４】
次に、大径ディスクが移送ローラ３１と対向パッド３３とで挟まれて、移送ローラ３１の回転力によりＹ１方向へ移送されるときには、大径ディスクの移送方向前方の円形の縁部により検知突起５４がＸ２方向へ押されるため、種別検知部材５１が支持軸５２を中心として反時計方向へ回動する。このとき種別検知部材５１と連結されている位置決めロック部材５５がＸ１方向へ移動させられる。よって大径ディスクの移送方向の先端縁部が位置決め突起４７と４８の位置へ至ったときには、位置決めロック部材５５の拘束部５５ａが位置決め突起４８から離れ、位置決めアーム４３が自由状態になっている。
【００７５】
よって、移送ローラ３１により大径ディスクがＹ１方向へ移送されていく間、大径ディスクの移送方向の先端縁部により位置決め突起４７と４８がＹ１方向へ押され、位置決めアーム４１は時計方向へ、位置決めアーム４３はこれと連動して反時計方向へ回動する。そして、検知部材６１も反時計方向へ回動させられ、連結ピン６１ｂを介して始動部材６２が支持軸６３を中心として時計方向（ＣＷ）へ回動させられる。
【００７６】
なお、大径ディスクによって位置決め突起４７と４８が押され、各位置決めアーム４１と４３がある程度の角度回動すると、反転ばね４６の付勢力の作用方向が反転し、位置決めアーム４１に時計方向への回動付勢力が作用し、位置決めアーム４１は時計方向へ、位置決めアーム４３は反時計方向へ回動した状態で安定させられる。
【００７７】
前記のように小径ディスクＤＳの中心がターンテーブル７の中心にほぼ一致し、あるいは大径ディスクの中心がターンテーブル７の中心にほぼ一致すると、前記のように検知部材６１により始動部材６２が時計方向へ回動させられる。
【００７８】
始動部材６２の前記回動は、始動ピン６５によって、下部ベース１の下面の始動伝達手段７０に伝達される。すなわち始動部材６２の時計方向の回動により、始動ピン６５はＹ１方向へ移動するため、図５に示す第１の伝達部材７１と第２の伝達部材７２との組み合わせ体は、共通の支持軸７３を支点として時計方向へ回動させられる。このとき、第２の伝達部材７２は連結ピン７８によって第３の伝達部材７６に連結されているため、第３の伝達部材７６は反時計方向へ回動させられ、第３の伝達部材７６に形成された始動押圧部７６ａによりラック９４がＸ２方向へ押される。
【００７９】
押されたラック９４は差動長穴９４ａの範囲内で切換え伝達部材９１上をＸ２方向へ移動し、ラック９４が第２の駆動歯車８５に噛み合う。この時点で第２の駆動歯車８５が反時計方向へ回動し続けているため、この回転力によってラック９４および切換え伝達部材９１がＸ２方向へ図６の位置まで移動させられる。
【００８０】
切換え伝達部材９１がＸ２方向へ移動する途中で、反転ばね９７の付勢力の作用方向が反転し、切換え伝達部材９１にはＸ２方向の付勢力が作用し、切換え伝達部材９１が図８の位置で安定する。このとき切換え伝達部材９１の移動完了が図示しない検知スイッチなどで検知され、モータ８１が停止させられる。
【００８１】
なお、切換え伝達部材９１が図５の位置からＸ２方向へ移動し始めた直後に、拘束アーム９１ｂの先端の拘束部９１ｃが規制突起７９に当たるため、第３の伝達部材７６は反時計方向へ回動させられた状態で拘束される。したがって、第１の伝達部材７１と第２の伝達部材７２との組み合わせ体が時計方向へ回動した状態で拘束され、可動ベース２の上では、始動部材６２が時計方向（ＣＷ）へ回動した状態で保持され、検知部材６１も図４に示す状態に保持される。
【００８２】
切換え伝達部材９１が図５の位置から図６の位置まで移動する間、切換えラック９８により反転歯車１０３が時計方向へ回動させられ、反転歯車１０３と噛み合う部分歯車１０１ａを有している回動部材１０１が反時計方向へ回動させられる。このとき回動部材１０１の駆動突起１０５により駆動長穴１０６ｂにＹ２方向への移動力が与えられ、昇降切換え部材１０６が図６の位置まで移動させられる。
【００８３】
昇降切換え部材１０６がＹ２方向へ移動させられると、図７（Ｂ）に示すように、昇降切換え部材１０６に形成された昇降案内穴１０６ｃ，１０６ｃによって可動ベース２に設けられた案内軸１０８，１０８が下降させられ、可動ベース２が下部ベース１へ向けて下降させられる。
【００８４】
ここで、可動ベース２が下部ベース１に向けて下降する間、図７（Ａ）から図７（Ｂ）に示すように、可動ベース２およびローラ支持部材２５が一緒に下降する。このときローラ支持部材２５から下方へ延びる突起２９が、下部ベース１上に設けられた回動部材１０１のカム溝１０１ｃの底部に当たる。よって可動ベース２およびローラ支持部材２５の下降力によって、前記ローラ支持部材２５は、突起２９とカム溝１０１ｃの底面との当接点を支点として反時計方向へ回動する。よって、移送ローラ３１は図示下方へ回動させられる。
【００８５】
これと同時に、図６に示すように下部ベース１上の回動部材１０１が反時計方向へ回動するため、この回動部材１０１のカム部１０１ｄの大径部（押圧部）１０１ｄ２によって突起２９がＹ２方向へ押出され、さらにローラ支持部材２５が反時計方向へ回動する。
【００８６】
上記動作により、まず可動ベース２が下降するときに、これに同期して回転が停止している前記移送ローラ３１が下降し、この移送ローラ３１と対向パッド３３とで挟まれたディスクが下降させられて、下部ベース１上のターンテーブル７に設置される。このとき移送ローラ３１がディスクから下方へ離れるが、このとき前記カム部１０１ｄの大径部１０１ｄ２で突起２９がＹ２方向へ押され、ローラ支持部材２５が反時計方向へ回動させられることにより、移送ローラ３１がさらに下降してディスクの下面から完全に離れることができる。
【００８７】
このように移送ローラ３１は、可動ベース２の下降動作とカム部１０１ｄの押圧動作の双方により完全に下降させられる。よって可動ベース２の下降距離が短くても、ディスクをターンテーブル７に設置したときに、このディスクから移送ローラ３１を十分に離すことができる。
【００８８】
なお、可動ベース２の下降動作のみで移送ローラ３１を下降させてもよいし、前記カム部１０１ｄの回動のみで移送ローラ３１を下降させてもよい。
【００８９】
次に、前記可動ベース２およびローラ支持部材２５が下降すると、図８（Ｂ）に示すように、誤挿入防止部材５の支持板部５ｂの下面が前記ストッパ１ｅの上端に当たり（あるいは係止部５ｄが下部ベース１に当たってもよい）、可動ベース２およびローラ支持部材２５の下降力により、誤挿入防止部材５が反時計方向へ回動し、前記閉鎖壁５ｃがローラ支持部材２５のガイド面２５ｂの上方へ大きく突出する。
【００９０】
よって、挿入・排出口２８が前記閉鎖壁５ｃで閉じられ、ターンテーブル７にディスクが装着されているときに、別のディスクが前記挿入・排出口２８から挿入されるのを防止できる。
【００９１】
ここで、図８に示すものでは、誤挿入防止部材５の回動支点（支持軸６）と、閉鎖壁５ｃとの間で前記係止部５ｄとストッパ１ｅとが係止される構造であるため、可動ベース２およびローラ支持部材２５が図８（Ｂ）から図８（Ａ）まで上昇するときの上昇距離をＨ０としたときに、支持軸６に対して閉鎖壁５ｃが下降するときの回動下降距離Ｈ１を増幅できる。
【００９２】
図８（Ｂ）に示すように、支持軸６と前記係止部５ｄの係止部までの距離をＬ１、前記係止部から閉鎖壁５ｃまでの距離をＬ２とすると、前記Ｈ１は約Ｈ０＋｛Ｌ２／（Ｌ１＋Ｌ２）｝・Ｈ０である。なお、図８の例では、図８（Ｂ）において、係止部５ｄとストッパ１ｅとの間に隙間が形成されているため、実際の前記回動下降距離Ｈ１は前記式で求められる距離よりも短い。したがって、前記隙間を短くし、さらにＬ１に対してＬ２を長くすることにより（Ｌ１≦Ｌ２とすることにより）、前記Ｈ１をさらに増幅することが可能である。
【００９３】
前記のように可動ベース２が下降し、ターンテーブル７上にディスクが設置され、移送ローラ３１がディスクから離れ、且つ閉鎖壁５ｃで挿入・排出口２８が閉じられるのと同時に、図１に示すクランプ駆動部材１３がＸ２方向へ移動する。このときクランパ支持体１１が下降してクランパから離れ、クランパ１４が支え体１５の板ばねによりディスクに弾性的に押圧される。
【００９４】
また、図６に示すように、回動部材１０１が反時計方向へ回動することによりロック突起１０１ｂがシャーシ３の隆起部３ａから離れ、また昇降切換え部材１０６に形成されたロック突起１０６ｄが、シャーシ３の突出片３ｂの下からＹ２方向へ抜け出る。よってロック手段１１０では、下部ベース１と可動ベース２とからなる機構ユニットがシャーシ３上にて弾性支持手段４で弾性支持された状態となる。
【００９５】
この状態でディスクが回転駆動され、光ヘッドにより記録または再生が行われる。
【００９６】
【発明の効果】
以上のように本発明では、可動ベースが昇降する際に、前記誤挿入防止部材が、軸と閉鎖部との中間部分を支点として回動するため、可動ベースの昇降距離に対して、誤挿入防止部材の回動範囲を大きくでき、挿入・排出口を確実に閉鎖でき、また挿入・排出口を大きく開口させて、ディスクを挿入しやすくできる。
【００９７】
よって薄型の装置において誤挿入防止部材を確実に動作させることが可能となる。
【図面の簡単な説明】
【図１】本発明の一実施の形態として薄型のディスク装置の分解斜視図、
【図２】図１の挿入・排出部を拡大して示す分解斜視図、
【図３】小径ディスクが挿入され位置決めされる直前の状態を示す平面図、
【図４】小径ディスクが位置決めされた状態を示す部分平面図、
【図５】ディスク挿入待機状態での下部ベース側の機構を示す平面図、
【図６】ディスク装着完了時の下部ベース側の機構を示す平面図、
【図７】（Ａ）（Ｂ）はディスククランプ動作を説明する図１のＶＩＩ矢視の側面図、
【図８】（Ａ）（Ｂ）は誤挿入防止部材の動作を示す部分側面図、
【符号の説明】
１  下部ベース（駆動ベース）
１ｄ  隙間
１ｅストッパ
２  可動ベース（クランプベース）
２ｇ  小側板
３  シャーシ
５  誤挿入防止部材
５ｃ  閉鎖壁
５ｄ  係止部
７  ターンテーブル
１０  ディスククランプ手段
１１  クランパ支持体
１３  クランプ駆動部材
１４  クランパ
１５  支え体
２５  ローラ支持部材
２５ｂ  ガイド面
２６  支持軸
２９  突起
３１  移送ローラ
３２  ローラ軸
３３  対向パッド
１０１  回動部材
１０１ｂ  ロック突起
１０１ｃ  カム溝
１０１ｄ  カム部
１０６  昇降切換え部材（昇降切換え手段）
１０６ｃ  昇降案内穴
【図１】
0003810254.tif 000002
【図２】
0003810254.tif 000003
【図３】
0003810254.tif 000004
【図４】
0003810254.tif 000005
【図５】
0003810254.tif 000006
【図６】
0003810254.tif 000007
【図７】
0003810254.tif 000008
【図８】
0003810254.tif 000009